【手続補正書】
【提出日】平成20年9月12日(2008.9.12)
【手続補正１】
【補正対象書類名】明細書
【補正対象項目名】特許請求の範囲
【補正方法】変更
【補正の内容】
【特許請求の範囲】
【請求項１】  ワイヤレス通信システムにおいて受信信号を処理するための復調器であって、
複数の相関器であって、各々の相関器は、前記受信信号から生成された複数の入力サンプルを受信してデカバーし、デカバーされた半シンボルを提供するとともに、前記デカバーされた半シンボルをパイロット推定により復調して相関されたシンボルを生成するように動作可能であり、前記デカバー処理は、前記受信信号におけるデータシンボルをカバーするのに使用されるチャネライゼーションシンボルの長さ（２Ｔ）の半分の長さ（Ｔ）をもつチャネライゼーションシンボルで実行される複数の相関器と、
前記複数の相関器に結合された結合器であって、前記結合器は前記複数の相関器の各々から相関されたシンボルを受信し、前記相関されたシンボルを選択的に結合して復調されたシンボルを提供するように動作可能である結合器と、
を具備する復調器。
【請求項２】  各相関器はさらに、前記複数の入力サンプルを受信して、各々の逆拡散系列によって逆拡散して複数の逆拡散サンプルを提供するように動作可能であり、前記デカバー処理は前記複数の逆拡散サンプルに関して前記相関器によって実行される請求項１に記載の復調器。
【請求項３】  前記逆拡散及びデカバー処理は共通のタイミングに基づいて実行される請求項２に記載の復調器。
【請求項４】  前記相関器の１つは、前記受信信号から生成された前記複数の入力サンプルを受信してデカバーしてデカバーされた半シンボルを提供するように動作可能であり、各相関器は前記デカバーされた半シンボルを受信して前記相関器からのパイロット推定によって復調して相関されたシンボルを生成する請求項１に記載の復調器。
【請求項５】  前記受信信号は、２Ｔの長さをもつウォルシュシンボルＷSTS デカバーされたデータシンボルと、２Ｔの長さを持つ相補型ウォルシュシンボルＷ￣STSによってカバーされたデータシンボルとを含む請求項１に記載の復調器。
【請求項6】  前記受信信号は、第１のアンテナから送信された第１の信号と、第２のアンテナから送信された第２の信号とを含み、前記復調器は、前記第１の信号の１つまたはそれ以上のインスタンスを処理するために割り当てられた１つまたはそれ以上の相関器と、前記第２の信号の１つまたはそれ以上のインスタンスを処理するために割り当てられた１つまたはそれ以上の相関器とを具備する請求項１に記載の復調器。
【請求項７】  前記デカバーされた半シンボルを復調するために各相関器内で使用されるパイロット推定は、当該相関器によって処理されている信号インスタンスに基づいて生成される請求項１に記載の復調器。
【請求項８】  前記受信信号は、ＣＤＭＡ−２０００標準またはＷ−ＣＤＭＡ標準に適合する請求項１に記載の復調器。
【請求項９】  通信システムにおける受信信号を処理するための復調器であって、前記復調器は、
複数の相関器であって、各相関器は、前記受信信号から生成された複数の入力サンプルを受信し、復調して第１及び第２シンボルストリームを提供するように動作可能であり、各相関器は、
前記複数の入力サンプルを受信してデカバーし、対のデカバーされた半シンボルを提供するように動作可能なデカバー要素であって、前記デカバー処理は、前記受信信号におけるデータシンボルをカバーするのに使用されるウォルシュシンボルＷSTS の長さ（２Ｔ）の半分の長さ（Ｔ）をもつウォルシュシンボルＷによって実行され、一対のデカバーされた半シンボルは、２Ｔの各ウォルシュシンボル周期に対して提供されるデカバー要素と、
前記デカバー要素に動作可能に結合された第１及び第２加算器であって、各加算器は、特定の方法において各対のデカバーされた半シンボルを合成して各デカバーされたシンボルを提供するように動作可能である第１及び第２加算器と、
前記第１及び第２加算器にそれぞれ結合された第１及び第２乗算器であって、各乗算器は、前記各加算器からのデカバーされたシンボルを各パイロットによって復調して、第１及び第２のシンボルストリームを提供する第１及び第２乗算器と、
前記複数の相関器に結合された結合器であって、前記結合器は、前記複数の相関器の各々の、前記第１及び第２乗算器からの前記第１及び第２シンボルストリームをそれぞれ受信して、前記複数の相関器からの前記第１シンボルストリームを合成して第１出力シンボルストリームを提供し、前記複数の相関器からの前記第２のシンボルストリームを合成して第２出力シンボルストリームを提供するように動作可能である合成器と、
を含む復調器。
【請求項１０】  各相関器はさらに、前記複数の入力サンプルを受信して特定の逆拡散系列で逆拡散し、複数の逆拡散サンプルを提供するように動作である逆拡散器を含み、
前記デカバー要素は、前記逆拡散器に結合され、前記複数の逆拡散サンプルを受信してデカバーする請求項９に記載の復調器。
【請求項１１】  各相関器はさらに、前記デカバー要素に結合されたスイッチを含み、このスイッチは、前記対のデカバーされた半シンボルを受信し、
２Ｔの前記ウォルシュシンボル周期の最初の半分に対応するデカバーされた半シンボルを第１出力に供給し、
２Ｔの前記ウォルシュシンボルの最後の半分に対応するデカバーされた半シンボルを第２出力に供給するものであり、
前記第１及び第２加算器は、前記スイッチの第１及び第２出力にそれぞれ動作可能に結合されている請求項９に記載の復調器。
【請求項１２】  各相関器はさらに、前記スイッチの第１出力と前記第１加算器に結合された遅延要素を含む請求項１１に記載の復調器。
【請求項１３】  通信システムにおける受信信号を処理するための復調器であって、前記復調器は、
複数の相関器であって、各相関器は、前記受信信号から生成された複数の入力サンプルを受信し、復調して第１及び第２シンボルストリームを提供し、各相関器は、
前記複数の入力サンプルを受信しデカバーして対のデカバーされた半シンボルを提供するように動作するデカバー要素であって、前記デカバー処理は、前記受信信号におけるデータサンプルをカバーするのに使用されるウォルシュシンボルＷSTS の長さ（２Ｔ）の半分の長さ（Ｔ）をもつウォルシュシンボルＷで実行され、デカバーされた半シンボルの一対が２Ｔの各ウォルシュシンボル周期に対して提供されるデカバー要素と、
前記デカバー要素に結合され、前記デカバーされた半シンボルを前記相関器によって回復されたパイロットによって復調して復調された半シンボルを提供するように動作可能である乗算器と、
前記乗算器に結合され、第１シンボルストリームにおける２Ｔの各ウォルシュシンボル周期に対してデカバーされた半シンボルの第１組み合わせを提供するとともに、第２シンボルストリームにおける２Ｔの各ウォルシュシンボル周期に対してデカバーされた半シンボルの第２組み合わせを提供するスイッチと、を含む複数の相関器と、
前記複数の相関器に結合された合成器であって、前記複数の相関器の各々からの第１及び第２シンボルストリームを受信し、前記複数の相関器からの第１シンボルストリームを合成して第１出力シンボルストリームを提供し、前記複数の相関器からの第２シンボルストリームを合成して第２出力シンボルストリームを提供するように動作可能である合成器と、
を具備する復調器。
【請求項１４】  各相関器はさらに、
前記複数の入力サンプルを受信して特定の逆拡散系列によって逆拡散して複数の逆拡散サンプルを提供するように動作可能な逆拡散器を含み、
前記デカバー要素は、前記逆拡散器に結合され、前記複数の逆拡散サンプルを受信してデカバーする請求項１３に記載の復調器。
【請求項１５】  各相関器における前記乗算器は、前記デカバーされた半シンボルと前記パイロット間の内積を実行してドットシンボルを提供するとともに、前記デカバーされた半シンボルと前記パイロット間の外積を実行してクロスシンボルを提供するように動作可能であり、
前記合成器は、２Ｔの各ウォルシュシンボル周期に対するドットシンボルとクロスシンボルとを選択的に組み合わせて、前記第１及び第２出力シンボルストリームに対して復調されたシンボルを提供するように動作可能である請求項１３に記載の復調器。
【請求項１６】  通信システムにおける受信信号を処理するための相関器であって、
前記受信信号から生成された複数の入力サンプルを受信し、デカバーして対のデカバーされた半シンボルを提供するように動作可能であるデカバー要素であって、前記デカバー処理は、前記受信信号におけるデータシンボルをカバーするために使用されるチャネライゼーションシンボルの長さ（２Ｔ）の半分の長さ（Ｔ）をもつチャネライゼーションシンボルによって実行され、一対のデカバーされた半シンボルは２Ｔの各チャネライゼーションシンボル周期に対して提供されるデカバー要素と、
前記デカバー要素に動作可能に結合された１つまたはそれ以上の乗算器であって、各乗算器は、デカバーされた半シンボルを各パイロットにより復調して相関されたシンボルを提供する１つまたはそれ以上の乗算器と、
を具備する相関器。
【請求項１７】  前記複数の入力サンプルを受信し逆拡散系列によって逆拡散して複数の逆拡散サンプルを提供するように動作可能である逆拡散器をさらに具備し、
前記デカバー要素は、前記逆拡散器に結合されて前記複数の逆拡散サンプルを受信してデカバーするように動作可能である請求項１６に記載の相関器。
【請求項１８】  通信システムにおける受信信号を処理するための相関器であって、
前記複数の入力サンプルを受信し、逆拡散系列によって逆拡散して複数の逆拡散サンプルを提供するように動作可能である逆拡散器と、
前記逆拡散器に結合され、複数の逆拡散サンプルをデカバーして対のデカバーされた半シンボルを提供するように動作可能であるデカバー要素であって、前記デカバー処理は、前記受信信号におけるデータシンボルをカバーするのに使用されるウォルシュシンボルＷSTS 及びＷ￣STS の長さ（２Ｔ）の半分の長さ（Ｔ）をもつウォルシュシンボルＷによって実行され、１対のデカバーされた半シンボルは２Ｔの各ウォルシュシンボル周期に対して提供されるデカバー要素と、
前記デカバー要素に動作可能に結合され、デカバーされた半シンボルを受信し、パイロットによって復調して相関されたシンボルを提供するように動作可能である乗算器と、
を具備する相関器。
【請求項１９】  ワイヤレス通信システムにおける受信器ユニットであって、
受信信号を処理して複数のサンプルを提供するように動作可能である受信器と、
前記受信器に結合され、前記複数のサンプルを受信し、復調して復調されたシンボルを提供するように動作可能である復調器と、
を具備し、
前記復調器は、
複数の相関器であって、各相関器は前記複数のサンプルを受信してデカバーし、デカバーされたシンボルまたは半シンボルを提供し、デカバーされたシンボルまたは半シンボルを各パイロットにより復調して相関されたシンボルを生成するように動作可能であり、前記デカバー処理は、前記受信信号におけるデータシンボルをカバーするために使用されるウォルシュシンボルＷSTS の長さ（２Ｔ）の半分の長さ（Ｔ）をもつウォルシュシンボルＷによって実行される複数の相関器と、
前記複数の相関器に結合され、前記複数の相関器の各々からの相関されたシンボルを受信し、前記相関されたシンボルを選択的に組み合わせて前記復調されたシンボルを提供するように動作可能である合成器と、
を含む受信器ユニット。
【請求項２０】  各相関器はさらに、前記複数のサンプルを特定の逆拡散系列によって逆拡散して逆拡散されたサンプルを生成するように動作可能であり、前記逆拡散処理は前記複数の逆拡散されたサンプルに関して実行される請求項１９に記載の受信器ユニット。
【請求項２１】  各相関器はさらに、第１シンボルストリームにおける２Ｔの各ウォルシュシンボル周期に対するデカバーされた半シンボルの第１組み合わせを提供するとともに、第２シンボルストリームにおける２Ｔの各ウォルシュシンボルストリーム周期に対するデカバーされた半シンボルの第２組み合わせを提供するように動作可能である請求項１９に記載の受信器ユニット。
【請求項２２】  ワイヤレス通信システムにおける受信信号を処理するための方法であって、
前記受信信号からの複数の入力サンプルを生成することと、
特定の受信信号インスタンスに対する前記複数の入力サンプルをデカバーしてデカバーされた半シンボルを生成することであって、前記デカバー処理は、前記受信信号におけるデータシンボルをカバーするのに使用されるチャネライゼーションシンボルの長さ（２Ｔ）の半分の長さ（Ｔ）をもつチャネライゼーションシンボルによって実行されることと、
前記デカバーされた半シンボルをパイロット推定によって復調して、相関されたシンボルを生成することと、
１つまたはそれ以上の信号インスタンスに関連する相関されたシンボルを選択的に組み合わせて復調されたシンボルを提供することと、
を具備する方法。
【請求項２３】  前記複数の入力サンプルを処理されている信号インスタンスに関連した逆拡散系列によって逆拡散して、前記信号インスタンスに対する複数の逆拡散されたサンプルを生成することをさらに具備し、
前記デカバー処理は、前記複数の逆拡散されたサンプルに関して実行されて前記デカバーされた半シンボルを生成することと、
を具備する請求項２２に記載の方法。
【請求項２４】  前記復調処理は、
前記デカバーされた半シンボルと前記パイロット間で内積を実行してドットシンボルを提供することと、
前記デカバーされた半シンボルと前記パイロット推定間で外積を実行してクロスシンボルを提供することとを含み、
２Ｔの各チャネライゼーションシンボル周期に対するドットシンボルとクロスシンボルは選択的に組み合わされて前記復調されたシンボルを提供する請求項２２に記載の方法。
【請求項２５】  ワイヤレス通信システムにおける受信信号を処理するための方法であって、前記受信信号は、第１アンテナから送信された第１信号と、第２アンテナから送信された第２信号とを含み、
前記受信信号からの複数の入力サンプルを生成することと、
前記第１及び第２信号の各々の少なくとも１つの信号インスタンスを処理して、各処理された信号インスタンスに対する相関されたシンボルを提供すること
とを具備し、
各信号インスタンスに対する処理は、
前記複数の入力サンプルを前記信号インスタンスに関連した特定の逆拡散系列によって逆拡散し、複数の逆拡散されたサンプルを提供することと、
前記複数の逆拡散されたサンプルをデカバーし、デカバーされた半シンボルを生成することであって、前記デカバー処理は、前記受信信号におけるデータシンボルをカバーするのに使用されるウォルシュシンボルＷSTS の長さ（２Ｔ）の半分の長さ（Ｔ）をもつウォルシュシンボルＷによって実行されることと、
前記デカバーされた半シンボルをパイロット推定によって復調して前記信号インスタンスに対する前記相関されたシンボルを生成することであって、前記パイロット推定は、処理されている信号インスタンスから引き出されることと、
処理されている信号インスタンスに対する相関されたシンボルを選択的に組み合わせて復調されたシンボルを提供することと、
を含む方法。
【手続補正２】
【補正対象書類名】明細書
【補正対象項目名】００２１
【補正方法】変更
【補正の内容】
【００２１】
多元接続通信システムにおけるＣＤＭＡ技術の使用は、“衛星または地上リピータを使用するスペクトラム拡散多元接続通信システム”を名称とする米国特許第４９０１３０７号を、“ＣＤＭＡセルラ電話システムにおける波形を生成するためのシステム及び方法”を名称とする米国特許第５１０３４５９号とに開示されている。他の特定のＣＤＭＡシステムは、“高レートパケットデータ送信のための方法及び装置”を名称とし、２００３年６月３日に発行された、米国特許第６５７４２１１号に開示されている。これらの特許は、本発明の譲受人に譲渡され、ここに言及により組み込まれている。
【手続補正３】
【補正対象書類名】明細書
【補正対象項目名】００９１
【補正方法】変更
【補正の内容】
【００９１】
本発明の復調器アーキテクチャは、例えばレーキ受信器などの種々の受信器アーキテクチャにおいて使用可能である。ＣＤＭＡシステムのためのレーキ受信器の設計及び動作は米国特許第５７６４６８７号（名称：スペクトラム拡散多元接続通信システムのための移動体復調器アーキテクチャ）及び米国特許第５４９０１６５号（名称：多元信号を受信可能なシステムにおける復調要素割り当て）に詳細に記載されている。両方の特許は本発明の譲受人に譲渡され、言及によりここに組み込まれている。
【手続補正４】
【補正対象書類名】明細書
【補正対象項目名】００９３
【補正方法】変更
【補正の内容】
【００９３】
送信されたパイロットを回復するための処理は、当業界で知られているのでこの詳細な説明を省略する。パイロット処理は、特定のＣＤＭＡシステムまたは実現されている標準に依存する。例えば、パイロットがデータに追加される（すなわち重ね合わされる）かどうかあるいはデータに時分割多重されるかどうかに応じて、概して異なるパイロット処理が実行される。このパイロット処理の一例は米国特許第５７６４６８７号及び第５４９０１６５号において記載されている。